(57)【要約】【課題】靴紐の締結を安全に、且つ、軽くて小さくて簡単に装着する靴紐の締結器具を提供する。【解決手段】プラスチック又は、第ＶＩＩＩ族金属〜第ＸＩ族金属の容器で紐の結び目を包む様に挟む事により、紐の膨張力と容器内側の弾性体により紐が解けるのを防ぐ。【選択図】図１
0003127467.tif 000002
【実用新案登録請求の範囲】
【請求項１】
適宜形容器を上部と下部に分けて、一部をバネで結合若しくは開閉が利くように蝶番のように連結しておき、紐の結び目を前記の上部と下部で開閉部側から挟み、挟んだ後を固定するために開閉部側の前記上部に引掛け部の凹部（穴）を作り、前記下部に止め部の凸部となるフックを作り、前記上部と下部を合わせて引掛け、紐の膨張力及び前記上部と下部の内側に弾性体を付する事による弾力を利用して締結をし、外すときは、前記上部を押えて引掛け部を前記下部の止め部のフックから外す事により、紐の結び目から解放する。
適宜形容器とは、紐の結び目を締結するための容器であり、容器の内部は、結び目の球に近い方が固定感がよいと思うが、外形は、どの様な形でもよい。
【考案の詳細な説明】
【技術分野】
【０００１】本考案は、紐の結びが解けて、危険な状態になるのを避けるため、解けにくくする本考案器具の装着に関する。
【背景技術】
【０００２】靴紐を締結するために靴紐の先端に接続し、靴紐を捲き取る円盤を軸支した靴紐の締結部と、この締結部を回転する操作回転体とを備え、この操作回転体を、一方向に回転させたときに円盤を回転して靴紐を捲き取り締結し、所定の強さで締結したときに操作を終了し、靴紐を緩める場合は、前記操作回転体を締結部との係合を解除して前記円盤を逆回転して初期の位置に戻すようにした靴紐締結装置において、前記操作回転体に連結する連結部及びこの連結部を回転させる駆動手段を備える回転部材を配置してなり、前記駆動手段を手動又は自動で操作して前記操作回転体を数回回転させて前記締結部の円盤を回転させて靴紐を締結することを特徴とする靴紐締結装置。
【特許文献１】特願２００３−３６０１６６  特開２００５−１２４５９７
【考案の開示】
【考案が解決しようとする課題】
【０００３】しかしながら、金具の操作によるものは重厚で手間がかかる。
【課題を解決するための手段】
【０００４】適宜形容器を上部と下部に分けて、一部をバネで結合若しくは開閉が利くように連結し、紐の結び目を囲むように、上部と下部で挟み、引掛け部の凹部（穴）を止め部の凸部（フック）に引掛けて、紐の膨張力及び上部と下部の内側に弾性体を付する事による弾力で締結する。外すときは、上部を押えて引掛け部を止め部から外す事により、紐の結び目から解放する。既存の洗濯ばさみやクリップの方法で挟むと、簡単に操作できるが規模が少し大きく成る。
【考案の効果】
【０００５】適宜形容器で紐の結び目を挟む事により、紐の膨張力と内部の弾性体により、靴紐が解けるのを防ぐことになり、紐を踏んで転ぶ事を防ぐ。
【考案を実施するための最良の形態】
【０００６】靴紐の結び目に対応した大きさと、負荷の少ない形状及び重量で、操作が簡単で歩行動作の邪魔をしない。【０００７】図１は全体図であり、容器に紐を通す穴を開けて上部１と下部２に分け、バネ（連結）部３で結合し、紐の結び目を、前記の上部１と下部２で挟み、図１及び図２の詳細に示す引掛け部４の凹部（穴）を止め部５の凸部（フック）に引掛けて、紐の膨張力及び前記の上部１と下部２の内側に弾性体を付する事による弾力で締結し、外すときは、前記の上部１を押えて前記の引掛け部４を前記の止め部５から外す事により、紐の結び目から解放する。既存の洗濯ばさみやクリップの方法で挟むと、簡単に操作できるが規模が少し大きく成る。
【産業上の利用可能性】
【０００９】靴紐等の紐の結び目に装着することにより、紐の解けるのを防ぐ紐の締結器具として利用可能である。
【図面の簡単な説明】
【０００１０】
【図１】本考案にかかる紐の締結器具の適宜形構造を示す外観図である。
【図２】紐の締結器具の締結部の一部である。
【符号の説明】
【００１１】１．本体上部
２．本体下部
３．接合部
４．引掛け部（穴）
５．止め部（フック）
【図１】
0003127467.tif 000003
【図２】
0003127467.tif 000004
【手続補正書】
【提出日】平成18年8月28日(2006.8.28)
【手続補正１】
【補正対象書類名】実用新案登録請求の範囲
【補正対象項目名】全文
【補正方法】変更
【補正の内容】
【実用新案登録請求の範囲】
【請求項１】
適宜形容器を上部と下部に分けて、一部をバネで結合若しくはヒンジにして連結しておき、紐の結び目を前記の上部と下部で開閉部側から挟む事により靴紐の解けるのを防ぎ、挟んだ後を固定するために開閉部側の前記上部に引掛け部の適宜な輪の穴と、前記下部に止め部の凸部となるフックを作り、前記上部と下部を合わせて引掛け、紐の膨張力及び前記上部と前記下部の内側に弾性体を付する事による弾力を利用して締結をし、外すときは、前記上部を押えて前記上部の引掛け部を前記下部の止め部のフックから外す事により、紐の結び目から解放する事を提供する靴紐の締結器具。
【手続補正２】
【補正対象書類名】明細書
【補正対象項目名】全文
【補正方法】変更
【補正の内容】
【考案の詳細な説明】
【技術分野】
【０００１】本考案は、紐の結びが解けて、危険な状態になるのを避けるため、解けにくくする本考案器具の装着に関する。
【背景技術】
【０００２】靴紐を締結するために靴紐の先端に接続し、靴紐を捲き取る円盤を軸支した靴紐の締結部と、この締結部を回転する操作回転体とを備え、この操作回転体を、一方向に回転させたときに円盤を回転して靴紐を捲き取り締結し、所定の強さで締結したときに操作を終了し、靴紐を緩める場合は、前記操作回転体を締結部との係合を解除して前記円盤を逆回転して初期の位置に戻すようにした靴紐締結装置において、前記操作回転体に連結する連結部及びこの連結部を回転させる駆動手段を備える回転部材を配置してなり、前記駆動手段を手動又は自動で操作して前記操作回転体を数回回転させて前記締結部の円盤を回転させて靴紐を締結することを特徴とする靴紐締結装置。
【特許文献１】  特願２００３−３６０１６６  特開２００５−１２４５９７
【考案の開示】
【考案が解決しようとする課題】
【０００３】しかしながら、このような金具の操作によるものは重厚で手間がかかる。
【課題を解決するための手段】
【０００４】  適宜形容器を上部と下部に分けて、一部をバネで結合若しくはヒンジにして開閉が利くように連結し、紐の結び目を囲むように、上部と下部で挟み、引掛け部の輪の穴を止め部の凸部となるフックに引掛けて、紐の膨張力及び上部と下部の内側に弾性体を付する事による弾力で締結する。外すときは、上部を押えて引掛け部を止め部から外す事により、紐の結び目から解放する。既存の洗濯ばさみやクリップの方法で挟むと、簡単に操作できるが規模が少し大きく成る。
【考案の効果】
【０００５】  適宜形容器で紐の結び目を挟む事により、紐の膨張力と内部の弾性体により、靴紐が解けるのを防ぐことになり、紐を踏んで転ぶ事を防ぐ。
【考案を実施するための最良の形態】
【０００６】靴紐の結び目に対応した大きさと、負荷の少ない形状及び重量で、操作が簡単で歩行動作の邪魔をしない。【０００７】図１は全体図であり、容器に紐を通す穴を開けて上部１と下部２に分け、バネ若しくはヒンジ部３で結合し、紐の結び目を、前記の上部１と下部２で挟み、図１及び図２の詳細に示す引掛け部４を止め部５の凸部となるフックに引掛けて、紐の膨張力及び前記の上部１と下部２の内側に弾性体を付する事による弾力で締結し、外すときは、前記の上部１を押えて前記の引掛け部４を前記の止め部５から外す事により、紐の結び目から解放する靴紐の締結器具を提供する。
【産業上の利用可能性】
【０００９】靴紐等の紐の結び目に装着することにより、紐の解けるのを防ぐ紐の締結器具として利用可能である。
【図面の簡単な説明】
【０００１０】
【図１】本考案にかかる紐の締結器具の適宜形構造を示す外観図である。
【図２】紐の締結器具の締結部の一部である。
【符号の説明】
【００１１】１．本体上部
２．本体下部
３．接合部
４．引掛けの輪となる穴
５．止めの凸部となるフック
【手続補正３】
【補正対象書類名】図面
【補正対象項目名】全図
【補正方法】変更
【補正の内容】
【図１】
0003127467.tif 000005
【図２】
0003127467.tif 000006